(57)【要約】【課題】本発明は、外光反射を抑制して視認性を向上させた有機発光表示装置を提供すること。【解決手段】本発明は有機発光表示装置に関し、本発明の実施形態による有機発光表示装置は基板部材と、前記基板部材上に形成された薄膜トランジスター（ＴＦＴ）と、前記薄膜トランジスターと接続された画素電極と、前記画素電極上に形成された有機発光層と、前記有機発光層上に形成された共通電極を含む有機発光素子（ＯＬＥＤ）と、前記有機発光素子上に形成された有色の偏光部材、及び前記有機発光素子の画素電極上に形成されて前記偏光部材と互いに異なる色相を有する有色物とを含む。【選択図】図２
2010040524.tif 000002
【特許請求の範囲】
【請求項１】
基板部材と、
前記基板部材上に形成された薄膜トランジスターと、
前記薄膜トランジスターと接続された画素電極、前記画素電極上に形成された有機発光層、及び前記有機発光層上に形成された共通電極、を含む有機発光素子と、
前記有機発光素子上に形成された有色の偏光部材と、
前記有機発光素子の画素電極上に形成され、前記偏光部材と互いに異なる色相を有する有色物を含むことを特徴とする、有機発光表示装置。
【請求項２】
前記偏光部材が有する色相と前記有色物が有する色相は互いに混合されると各々の色相より明度が低くなることを特徴とする、請求項１に記載の有機発光表示装置。
【請求項３】
前記偏光部材が有する色相と前記有色物が有する色相は減算混合で互いに補色関係であることを特徴とすることを特徴とする、請求項２に記載の有機発光表示装置。
【請求項４】
前記偏光部材は偏光フィルムと１／４波長位相遅延フィルムを含むことを特徴とする、請求項１〜３のいずれか１項に記載の有機発光表示装置。
【請求項５】
前記画素電極を露出する開口部を有して前記基板部材上に形成された画素定義膜をさらに含み、
前記有色物は前記画素定義膜であることを特徴とする、請求項１〜４のいずれか１項に記載の有機発光表示装置。
【請求項６】
前記偏光部材は青色系の色相を有し、前記画素定義膜は黄色系または赤色系の色相を有することを特徴とする請求項５に記載の有機発光表示装置。
【請求項７】
前記画素定義膜はアクリル系の樹脂を含んで形成されたことを特徴とする、請求項５又は６に記載の有機発光表示装置。
【請求項８】
前記薄膜トランジスターはゲート電極、ソース電極、及びドレイン電極を含み、
前記ゲート電極、ソース電極、ドレイン電極、及び画素電極の中から選ばれた少なくとも一つ以上の電極と同じ層に同じ素材で形成された導電膜をさらに含み、
前記導電膜の少なくとも一部は前記画素定義膜の下に配置されたことを特徴とする、請求項５〜７のいずれか１項に記載の有機発光表示装置。
【請求項９】
前記基板部材と対向配置されて前記薄膜トランジスター及び前記有機発光素子をカバーする封止部材をさらに含み、
前記有色物は前記封止部材であることを特徴とする、請求項１〜４のいずれか１項に記載の有機発光表示装置。
【請求項１０】
前記偏光部材は青色系の色相を有し、前記封止部材は黄色系の色相を有することを特徴とする、請求項９に記載の有機発光表示装置。
【請求項１１】
前記基板部材と対向配置されて前記薄膜トランジスター及び前記有機発光素子をカバーする封止部材と、前記封止部材と前記有機発光素子との間に配置された封止充填層をさらに含み、
前記有色物は前記封止充填層であることを特徴とする、請求項１〜４のいずれか１項に記載の有機発光表示装置。
【請求項１２】
前記偏光部材は青色系の色相を有し、前記封止充填層は黄色系の色相を有することを特徴とする、請求項１１に記載の有機発光表示装置。
【請求項１３】
前記基板部材と対向配置されて前記薄膜トランジスター及び前記有機発光素子をカバーする封止部材と、前記封止部材上に形成されたカバーウィンドウをさらに含み、
前記有色物はカバーウィンドウであることを特徴とする、請求項１〜４のいずれか１項に記載の有機発光表示装置。
【請求項１４】
前記偏光部材は青色系の色相を有し、前記カバーウィンドウは黄色系の色相を有することを特徴とする、請求項１３に記載の有機発光表示装置。
【請求項１５】
前記基板部材と対向配置されて前記薄膜トランジスター及び前記有機発光素子をカバーする封止部材と、前記封止部材上に形成されたカバーウィンドウと、前記封止部材と前記カバーウィンドウとの間に配置されたカバー充填層をさらに含み、
前記有色物はカバー充填層であることを特徴とする、請求項１〜４のいずれか１項に記載の有機発光表示装置。
【請求項１６】
前記偏光部材は青色系の色相を有し、前記カバー充填層は黄色系の色相を有することを特徴とする、請求項１５に記載の有機発光表示装置。
【発明の詳細な説明】
【技術分野】
【０００１】
本発明は有機発光表示装置に関し、より詳しくは外光反射を抑制して視認性を向上させた有機発光表示装置に関するものである。
【背景技術】
【０００２】
有機発光表示装置（ｏｒｇａｎｉｃ  ｌｉｇｈｔ  ｅｍｉｔｔｉｎｇ  ｄｉｓｐｌａｙ）は正孔注入電極と有機発光層及び電子注入電極を有する複数の有機発光素子（ｏｒｇａｎｉｃ  ｌｉｇｈｔ  ｅｍｉｔｔｉｎｇ  ｄｉｏｄｅ）を含む。有機発光層内部において電子と正孔が結合して生成された励起子（ｅｘｃｉｔｏｎ）が励起状態から基底状態に落ちる時に発生するエネルギーによって発光し、これを利用して有機発光表示装置は画像を形成表示する。
【０００３】
従って、有機発光表示装置は自発光特性を有し、液晶表示装置とは異なって別途の光源を要しないため、厚さと重量を減らすことができる。また、有機発光表示装置は低い消費電力、高い輝度及び高い反応速度などの高品位特性を有するため、携帯用電子機器の次世代表示装置として注目されている。
【発明の概要】
【発明が解決しようとする課題】
【０００４】
一般に有機発光表示装置が有する多くの電極及び金属配線は外部から流入する光を反射する。このような外光反射によって有機発光表示装置は輝度レベルの低く黒い色の画像形成及びコントラストが不良になって表示特性が低下する問題がある。
【０００５】
そこで、本発明の目的は、前述した外光反射の問題を解決するためのものであって、外光反射を抑制して視認性を向上させた有機発光表示装置を提供することである。
【課題を解決するための手段】
【０００６】
本発明のある観点によれば、基板部材と、前記基板部材上に形成された薄膜トランジスター（ｔｈｉｎ  ｆｉｌｍ  ｔｒａｎｓｉｓｔｏｒ、ＴＦＴ）と、前記薄膜トランジスターと接続された画素電極と、前記画素電極上に形成された有機発光層と、前記有機発光層の上に形成された共通電極を含む有機発光素子（ｏｒｇａｎｉｃ  ｌｉｇｈｔ  ｅｍｉｔｔｉｎｇ  ｄｉｏｄｅ、ＯＬＥＤ）と、前記有機発光素子上に形成された有色の偏光部材と、前記有機発光素子の画素電極上に形成されて前記偏光部材と互いに異なる色相を有する有色物と、を含む有機発光表示装置が提供される。
【０００７】
前記偏光部材が有する色相と前記有色物が有する色相は互いに混合されると各々の色相より明度が低くなりうる。
【０００８】
前記偏光部材が有する色相と前記有色物が有する色相は減算混合で互いに補色関係でありうる。
【０００９】
前記偏光部材は偏光フィルムと１／４波長位相遅延フィルムを含むことができる。
【００１０】
前記有機発光表示装置は前記画素電極を露出する開口部を有して前記基板部材上に形成された画素定義膜をさらに含み、前記有色物は前記画素定義膜であっても良い。
【００１１】
前記偏光部材は青色（ｂｌｕｅ）系の色相を有し、前記画素定義膜は黄色（ｙｅｌｌｏｗ）系または赤色（ｒｅｄ）系の色相を有していてもよい。
【００１２】
前記画素定義膜はアクリル（ａｃｒｙｌ）系の樹脂を含んで形成できる。
【００１３】
前記薄膜トランジスターはゲート電極、ソース電極、及びドレイン電極を含み、前記有機発光表示装置は前記ゲート電極、ソース電極、ドレイン電極、及び画素電極中一つ以上の電極と同じ層に同じ素材で形成された導電膜をさらに含み、前記導電膜の少なくとも一部は前記画素定義膜の下に配置されてもよい。
【００１４】
前記有機発光表示装置は前記基板部材と対向配置されて、前記薄膜トランジスター及び前記有機発光素子をカバーする封止部材をさらに含み、前記有色物は前記封止部材でありうる。
【００１５】
前記偏光部材は青色（ｂｌｕｅ）系の色相を有し、前記封止部材は黄色（ｙｅｌｌｏｗ）系の色相を有している。
【００１６】
前記基板部材と対向配置されて、前記薄膜トランジスター及び前記有機発光素子をカバーする封止部材と、前記封止部材と前記有機発光素子の間に配置された封止充填層をさらに含み、前記有色物は前記封止充填層でありうる。
【００１７】
前記偏光部材は青色（ｂｌｕｅ）系の色相を有し、前記封止充填層は黄色（ｙｅｌｌｏｗ）系の色相を有しても良い。
【００１８】
前記有機発光表示装置は前記基板部材と対向配置されて前記薄膜トランジスター及び前記有機発光素子をカバーする封止部材と、前記封止部材上に形成されたカバーウィンドウをさらに含み、前記有色物はカバーウィンドウであっても良い。
【００１９】
前記偏光部材は青色（ｂｌｕｅ）系の色相を有し、前記カバーウィンドウは黄色（ｙｅｌｌｏｗ）系の色相を有しても良い。
【００２０】
前記有機発光表示装置は前記基板部材と対向配置されて前記薄膜トランジスター及び前記有機発光素子をカバーする封止部材と、前記封止部材上に形成されたカバーウィンドウと、前記封止部材と前記カバーウィンドウとの間に配置されたカバー充填層をさらに含み、前記有色物はカバー充填層であっても良い。
【００２１】
前記偏光部材は青色（ｂｌｕｅ）系の色相を有し、前記カバー充填層は黄色（ｙｅｌｌｏｗ）系の色相を有していてもよい。
【００２２】
本発明の効果は、外光反射を抑制して視認性を向上させた有機発光表示装置を提供することである。
【図面の簡単な説明】
【００２３】
【図１】本発明の第１実施形態に係る有機発光表示装置の配置図である。
【図２】同実施形態に係る有機発光表示装置について図１のＩＩ−ＩＩ線に沿って切断して示した断面図である。
【図３】本発明の第２実施形態に係る有機発光表示装置の断面図である。
【図４】本発明の第３実施形態に係る有機発光表示装置の断面図である。
【図５】本発明の第４実施形態に係る有機発光表示装置の断面図である。
【図６】本発明の第５実施形態に係る有機発光表示装置の断面図である。
【発明を実施するための形態】
【００２４】
以下、添付図を参照して、本発明の多様な実施形態について本発明が属する技術分野において通常の知識を有する者が容易に実施できるように詳しく説明する。本発明は多様な形態に具現でき、ここで説明する実施形態に限られない。
【００２５】
また、図面に示した各構成部材の大きさ及び厚さは説明の便宜上任意尺度で示したため、本発明を必ずしも一様な尺度構成で示すものとは限らない。
【００２６】
本発明を明確に説明するため説明上不要な部分は省略し、明細書全体にわたって同一または類似の構成要素については同じ参照符号を付ける。
【００２７】
また、図面から多くの層及び領域を明確に表示するため厚さを拡大して示した。明細書全体にわたって類似する部分については同じ図面符号を付けた。層、膜、領域、板などの部分がある部分の「上に」または「上部に」あるという時、これはある部分の「直上に」ある場合だけでなく、その中間にまた他の部分がある場合も含む。一方、ある部分が他の部分の「直ぐ上に」あるという時には中間に他の部分がないことを意味する。
【００２８】
また、多様な実施形態において、同じ構成を有する構成要素については同じ符号を使って代表的に第１実施形態で説明し、その他の実施形態では第１実施形態と異なっている構成についてのみ説明する。
【００２９】
また、添付図からは、一つの画素に二つの薄膜トランジスター（ＴＦＴ）と一つの蓄電素子（ｃａｐａｃｉｔｏｒ）を備えた２Ｔｒ−１Ｃａｐ構造の能動マトリクス（ａｃｔｉｖｅ  ｍａｔｒｉｘ、ＡＭ）型有機発光表示装置を示しているが、本発明がこれに限定されるのではない。従って、有機発光表示装置は一つの画素に三つ以上の薄膜トランジスターと二つ以上の蓄電素子を備えることができ、別途の配線がさらに形成されて多様な構造を有するように形成しても良い。
【００３０】
ここで、画素は画像を表示する最小単位であり、有機発光表示装置は複数の画素を介して画像を表示する。
【００３１】
以下、図１及び図２を参照して本発明の第１実施形態について説明する。
【００３２】
図１及び図２に示したように、本発明の第１実施形態による有機発光表示装置９０１は一つの画素にスイッチング薄膜トランジスター１０と、駆動薄膜トランジスター２０と、蓄電素子８０と、有機発光素子（ｏｒｇａｎｉｃ  ｌｉｇｈｔ  ｅｍｉｔｔｉｎｇ  ｄｉｏｄｅ、ＯＬＥＤ）７０と、を含む。また、有機発光表示装置９０１は一方向に沿って配置されるゲートライン１５１と、ゲートライン１５１と絶縁交差されるデータライン１７１と、共通電源ライン１７２をさらに含む。ここで、一つの画素はゲートライン１５１、データライン１７１及び共通電源ライン１７２を境界として定義できる。
【００３３】
有機発光素子７０は画素電極７１０と、画素電極７１０上に形成された有機発光層７２０と、有機発光層７２０上に形成された共通電極７３０（図２に図示）を含む。ここで、画素電極７１０は正孔注入電極の正（＋）極となり、共通電極７３０は電子注入電極の負（−）極となる。しかし、本発明が必ずしもこれに限定されるのではなく、有機発光表示装置９０１の駆動方法により画素電極７１０が負極となり、共通電極７３０が正極となっても良い。画素電極７１０及び共通電極７３０から各々正孔と電子が有機発光層７２０内部に注入される。注入された正孔と電子が結合した励起子（ｅｘｉｔｏｎ）が励起状態から基底状態に落ちる時に発光する。
【００３４】
スイッチング薄膜トランジスター１０はスイッチング半導体層１３１と、スイッチングゲート電極１５２と、スイッチングソース電極１７３及びスイッチングドレイン電極１７４と、を含み、駆動薄膜トランジスター２０は駆動半導体層１３２と、駆動ゲート電極１５５と、駆動ソース電極１７６及び駆動ドレイン電極１７７と、を含む。
【００３５】
蓄電素子８０はゲート絶縁膜１４０（図２に図示）を間において配置された第１維持電極１５８と第２維持電極１７８を含む。
【００３６】
スイッチング薄膜トランジスター１０は発光させようとする画素を選択するスイッチング素子として用いられる。スイッチングゲート電極１５２はゲートライン１５１と接続される。スイッチングソース電極１７３はデータライン１７１と接続される。スイッチングドレイン電極１７４はスイッチングソース電極１７３から離隔配置されて第１維持電極１５８と接続される。
【００３７】
駆動薄膜トランジスター２０は選択された画素内の有機発光素子７０の有機発光層７２０を発光させるための駆動電力を画素電極７１０に印加する。駆動ゲート電極１５５は第１維持電極１５８と接続される。駆動ソース電極１７６及び第２維持電極１７８は各々共通電源ライン１７２と接続される。駆動ドレイン電極１７７は接触孔１８２を通して有機発光素子７０の画素電極７１０と接続される。
【００３８】
このような構造によってスイッチング薄膜トランジスター１０は、ゲートライン１５１に印加されるゲート電圧によって作動され、データライン１７１に印加されるデータ電圧を駆動薄膜トランジスター２０に伝達する役割を果たす。共通電源ライン１７２から駆動薄膜トランジスター２０に印加される共通電圧とスイッチング薄膜トランジスター１０から伝送されたデータ電圧の差に相当する電圧が蓄電素子８０に保存され、蓄電素子８０に保存された電圧に対応する電流が駆動薄膜トランジスター２０を介して有機発光素子７０に流れて有機発光素子７０が発光される。
【００３９】
また、有機発光表示装置９０１は図２に示したように、偏光部材３００及び封止部材２００をさらに含む。
【００４０】
偏光部材３００は有機発光素子７０上に配置される。偏光部材３００は外部から流入した光を相殺して消滅させる。つまり、偏光部材３００は外光反射を抑制する役割を果たす。しかし、偏光部材３００がすべての波長帯の光を相殺するとは限らないため、偏光部材３００だけで外光反射を抑制する役割を果たすことはできない。また、偏光部材３００は色相を有する。
【００４１】
封止部材２００は基板部材１１０上に形成された薄膜トランジスター１０、２０及び有機発光素子７０等を外部から封止されるようにカバーして保護する。封止部材２００としては通常ガラスまたはプラスチックで形成された絶縁基板２１０が使用される。また、封止部材２００も色相を有する。
【００４２】
図２において、偏光部材３００は封止部材２００の外部面に配置される。しかし、本発明がこれに限定されるのではなく、偏光部材３００が封止部材２００によってカバーされる内部に配置されても良い。
【００４３】
また、偏光部材３００と封止部材２００は互いに異なる色相を有する。特に、封止部材２００は偏光部材３００が有する色相と混合されると全体的に明度が低くなる色相を有する。つまり、偏光部材３００が有する色相と封止部材２００が有する色相は互いに混合されると各々の色相より明度が低くなる。
【００４４】
より望ましくは、封止部材２００は偏光部材３００が有する色相と減算混合で互いに補色関係の色相を有する。つまり、偏光部材３００が有する色相と封止部材２００が有する色相は減算混合で互いに補色関係であるのがより望ましい。
【００４５】
このような構成によって、有機発光表示装置９０１は外光反射を抑制して向上した視認性を有することができる。
【００４６】
具体的に、有機発光素子７０の電極７１０、７３０またはその他に複数の金属配線に反射された外部の光は一次的に偏光部材３００によって反射が抑制され、２次的に封止部材２００と偏光部材３００が有する色によって反射が抑制される。つまり、封止部材２００と偏光部材３００を通過する光はこれらが有する色差によって明度が低くなるため、偏光部材３００と共に封止部材２００は外光反射を抑制する役割を果たす。特に、封止部材２００と偏光部材３００が各々減算混合で補色関係の色相を有する場合、これらの混合色相は黒い色に近いため、光が通過できずより効果的に外光反射を抑制することができる。
【００４７】
例えば、偏光部材３００が青色（ｂｌｕｅ）系の色相を有して、封止部材２００が黄色（ｙｅｌｌｏｗ）系の色相を有することができる。この時、封止部材２００が黄色カラーフィルターのような機能をして、黄色の光が大部分封止部材２００を通過するようになる。そして、この黄色の光は青色系の色相を有する偏光部材３００を通過しながら、明度が非常に減少するため、外部の光が有機発光素子７０の電極７１０、７３０またはその他に複数の金属配線に反射されることを抑制できる。しかし、本発明がこれに限定されるのではない。従って、偏光部材３００及び封止部材２００は各々互いに減算混合される多様な色相を有している。
【００４８】
以下、図２を参照して本発明の第１実施形態による有機発光表示装置９０１の構造について具体的に説明する。図２は駆動薄膜トランジスター２０、有機発光素子７０及び蓄電素子８０を中心に有機発光表示装置９０１を示している。
【００４９】
下記では駆動薄膜トランジスター２０を通して薄膜トランジスターの構造について詳しく説明する。また、スイッチング薄膜トランジスター１０は駆動薄膜トランジスターとの差だけ簡略に説明する。
【００５０】
基板部材１１０はガラス、石英、セラミック、プラスチックなどで構成された絶縁性基板で形成される。しかし、本発明がこれに限定されるのではない。従って、基板部材１１０は、ステンレス鋼などで構成された金属性基板で形成する場合もある。
【００５１】
基板部材１１０の上にバッファー層１２０が形成される。バッファー層１２０は不純元素の浸透を防止しながら表面を平坦化する役割を果し、このような役割を遂行できる多様な物質で形成できる。例えば、バッファー層１２０は窒化ケイ素（ＳｉＮｘ）膜、酸化ケイ素（ＳｉＯ２）膜、酸窒化ケイ素（ＳｉＯｘＮｙ）膜のうちいずれか一つを用いることができる。しかし、バッファー層１２０は必ずしも必要なものではなく、基板部材１１０の種類及び工程条件により省略できる。
【００５２】
バッファー層１２０の上には駆動半導体層１３２が形成される。駆動半導体層１３２は多結晶シリコン膜で形成される。また、駆動半導体層１３２は不純物がドーピングされないチャンネル領域１３５と、チャンネル領域１３５の両側でｐ+ドーピングされて形成されたソース領域１３６及びドレイン領域１３７を含む。この時、ドーピングされるイオン物質はホウ素（Ｂ）のようなＰ型不純物であり、主にＢ２Ｈ６が使用される。しかし、このような不純物は薄膜トランジスターの種類によって異なる。
【００５３】
本発明の第１実施形態において駆動薄膜トランジスター２０としてＰ型不純物を用いたＰＭＯＳ構造の薄膜トランジスターが使用されたが、これに限定されるのではない。従って、駆動薄膜トランジスター２０にＮＭＯＳ構造またはＣＭＯＳ構造の薄膜トランジスターも全て用いることができる。
【００５４】
また、図２に示された駆動薄膜トランジスター２０は多結晶シリコン膜を含む多結晶薄膜トランジスターだけであるが、図２に示されていないスイッチング薄膜トランジスター１０は多結晶薄膜トランジスターであってもよく、非晶質シリコン膜を含む非晶質薄膜トランジスターであってもよい。
【００５５】
駆動半導体層１３２の上には窒化ケイ素（ＳｉＮｘ）または酸化ケイ素（ＳｉＯ２）などで形成されたゲート絶縁膜１４０が形成される。ゲート絶縁膜１４０の上に駆動ゲート電極１５５を含むゲート配線が形成される。ゲート配線はゲートライン１５１（図１に図示）、第１維持電極１５８及びその他に配線をさらに含む。そして駆動ゲート電極１５５は駆動半導体層１３２の少なくとも一部、特にチャンネル領域１３５と重なるように形成される。
【００５６】
ゲート絶縁膜１４０上には駆動ゲート電極１５５を覆う層間絶縁膜１６０が形成される。ゲート絶縁膜１４０と層間絶縁膜１６０は駆動半導体層１３２のソース領域１３６及びドレイン領域１３７を露出する複数の貫通孔を共に有する。層間絶縁膜１６０は、ゲート絶縁膜１４０と同様に、窒化ケイ素（ＳｉＮｘ）または酸化ケイ素（ＳｉＯ２）等で形成される。
【００５７】
層間絶縁膜１６０上には駆動ソース電極１７６及び駆動ドレイン電極１７７を含むデータ配線が形成される。データ配線はデータライン１７１（図１に図示）、共通電源ライン１７２、第２維持電極１７８及びその他に配線をさらに含む。また、駆動ソース電極１７６及び駆動ドレイン電極１７７は各々貫通孔を通して、駆動半導体層１３２のソース領域１３６及びドレイン領域１３７と接続される。
【００５８】
このように、駆動半導体層１３２、駆動ゲート電極１５５、駆動ソース電極１７６及び駆動ドレイン電極１７７を含む駆動薄膜トランジスター２０が形成される。
【００５９】
駆動薄膜トランジスター２０の構成は前述した例に限定されず、当該技術分野の専門家が容易に実施できる公知の構成であり多様に変形できる。
【００６０】
層間絶縁膜１６０上にはデータ配線１７２、１７６、１７７、１７８を覆う平坦化膜１８０が形成される。平坦化膜１８０はその上に形成される有機発光素子７０の発光効率を高めるために段差をなくして平坦化させる役割を果たす。また、平坦化膜１８０はドレイン電極１７７の一部を露出させる接触孔１８２を有する。
【００６１】
平坦化膜１８０は、アクリル系樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド系樹脂（ｐｏｌｙａｍｉｄｅｓ  ｒｅｓｉｎ）、ポリイミド系樹脂（ｐｏｌｙｉｍｉｄｅｓ  ｒｅｉｎ）、不飽和ポリエステル系樹脂（ｕｎｓａｔｕｒａｔｅｄ  ｐｏｌｙｅｓｔｅｒｓ  ｒｅｓｉｎ）、ポリフェニレン系樹脂（ｐｏｌｙｐｈｅｎｙｌｅｎｅｔｈｅｒｓ  ｒｅｓｉｎ）、ポリフェニレンスルフィド系樹脂（ｐｏｌｙｐｈｅｎｙｌｅｎｅｓｕｌｆｉｄｅｓ  ｒｅｓｉｎ）、及びベンゾシクロブテン（ｂｅｎｚｏｃｙｃｌｏｂｕｔｅｎｅ、ＢＣＢ）の中一種以上の物質で形成される。
【００６２】
平坦化膜１８０の上には有機発光素子７０の画素電極７１０が形成される。画素電極７１０は平坦化膜１８０の接触孔１８２を通してドレイン電極１７７と接続される。
【００６３】
また、平坦化膜１８０の上には画素電極７１０を露出する開口部を有する画素定義膜１９０が形成される。つまり、画素電極７１０は画素定義膜１９０の開口部に対応するように配置される。上記偏光部材は青色系の色相を有し、上記画素定義膜は黄色系または赤色系の色相を有することができる。
【００６４】
画素定義膜１９０はポリアクリル系（ｐｏｌｙａｃｒｙｌａｔｅｓ  ｒｅｓｉｎ）及びポリイミド系（ｐｏｌｙｉｍｉｄｅｓ）等の樹脂で形成される。
【００６５】
画素定義膜１９０の開口部において画素電極７１０の上には有機発光層７２０が形成され、画素定義膜１９０及び有機発光層７２０上には共通電極７３０が形成される。
【００６６】
このように、画素電極７１０、有機発光層７２０、及び共通電極７３０を含む有機発光素子７０が形成される。
【００６７】
画素電極７１０と共通電極７３０のうちいずれか一つは透明な導電性物質で形成されて他の一つは半透過型または反射型導電性物質で形成できる。画素電極７１０及び共通電極７３０を形成する物質の種類によって、有機発光表示装置９０１は前面発光型、背面発光型または両面発光型の何れかになりうる。一方、本発明による有機発光表示装置９０１は前面発光型で形成される。
【００６８】
透明な導電性物質としては、インジウム錫酸化物（ｉｎｄｉｕｍ  ｔｉｎ  ｏｘｉｄｅ、ＩＴＯ）、インジウム亜鉛酸化物（Ｉｎｄｉｕｍ  Ｚｉｎｃ  Ｏｘｉｄｅ、ＩＺＯ）、ＺｎＯ（酸化亜鉛）またはＩｎ２Ｏ３（Ｉｎｄｉｕｍ  Ｏｘｉｄｅ）等の物質を使用できる。反射型物質としてはリチウム（Ｌｉ）、カルシウム（Ｃａ）、フッ化リチウム／カルシウム（ＬｉＦ／Ｃａ）、フッ化リチウム／アルミニウム（ＬｉＦ／Ａｌ）、アルミニウム（Ａｌ）、銀（Ａｇ）、マグネシウム（Ｍｇ）、または金（Ａｕ）等の物質を使用できる。
【００６９】
有機発光層７２０は低分子有機物または高分子有機物で構成される。このような有機発光層７２０は正孔注入層（ｈｏｌｅ−ｉｎｊｅｃｔｉｏｎ  ｌａｙｅｒ、ＨＩＬ）、正孔輸送層（ｈｏｌｅ−ｔｒａｎｓｐｏｒｔｉｎｇ  ｌａｙｅｒ、ＨＴＬ）、発光層、電子輸送層（ｅｌｅｃｔｒｏｎ−ｔｒａｎｓｐｏｒｔｉｏｎｇ  ｌａｙｅｒ、ＥＴＬ）、そして電子注入層（ｅｌｅｃｔｒｏｎ−ｉｎｊｅｃｔｉｏｎ  ｌａｙｅｒ、ＥＩＬ）を有する多重膜で形成される。つまり、正孔注入層は正極の画素電極７１０上に配置され、その上に正孔輸送層、発光層、電子輸送層、電子注入層が順次に積層される。
【００７０】
上記薄膜トランジスターはゲート電極、ソース電極、及びドレイン電極を含み、上記ゲート電極、ソース電極、ドレイン電極、及び画素電極の中から選ばれた少なくとも一つ以上の電極と同じ層に同じ素材で形成された導電膜をさらに含み、上記導電膜の少なくとも一部は上記画素定義膜の下に配置されてもよい。
【００７１】
有機発光素子７０の上に封止部材２００及び偏光部材３００が配置される。封止部材２００は基板部材１１０と対向配置されて、薄膜トランジスター２０及び有機発光素子７０をカバーする。
【００７２】
偏光部材３００は偏光フィルム３１０と１／４波長位相遅延フィルム３２０を含む。偏光フィルム３１０は通過する光を直線偏光させて、１／４波長位相遅延フィルム３２０は通過する光の位相を４５度遅延させる。ここで、偏光フィルム３１０を通過した直線偏光は１／４波長位相遅延フィルム３２０を通過しながら円偏光となる。偏光フィルム３１０と１／４波長位相遅延フィルム３２０は通常の公知の方法で製造できる。
【００７３】
偏光部材３００と封止部材２００は減算混合で互いに補色関係の色相を各々有する。つまり、偏光部材３００が有する色相と封止部材２００が有する色相は互いに混合されると全体的に明度が低くなる。
【００７４】
本発明の第１実施形態において、偏光部材３００は青色系の色相を帯びさせながら、青色系の光に対して相対的に高い透過度を有する。これに、有機発光表示装置９０１が青色系色相に対する効率が相対的に落ちる場合に青色系の色相を帯びる偏光部材３００の使用はより効果的になる。この時、封止部材２００は黄色系色相を有する。
【００７５】
従って、有機発光素子７０の電極７１０、７３０またはその他に複数の金属配線に反射された外部の光が封止部材２００及び偏光部材３００を通りながら減算混合されて明度が低くなる。この時、偏光部材３００自体でも外光反射を抑制することは無論である。
【００７６】
偏光部材３００及び封止部材２００は、前述した実施形態に限定されずに各々互いに減算混合される多様な色相を有することができる。
【００７７】
以下、図３を参照して本発明の第２実施形態について説明する。
【００７８】
図３に示したように、有機発光表示装置９０２は有機発光素子７０と封止部材２００の間の空間に満たされた封止充填層２５０をさらに含む。封止充填層２５０は封止部材２００を安定的に固定させる役割を果たし、有機発光素子７０に水分及び異物が侵入するのを防止し、屈折率差による光の反射を減少させる役割を果たす。
【００７９】
また、封止充填層２５０は樹脂系の素材を含んで形成されて色相を有する。一方、本発明の第２実施形態による有機発光表示装置９０２において封止部材２００は色相を有しない。
【００８０】
また、偏光部材３００と封止充填層２５０は互いに異なる色相を有する。特に、封止充填層２５０は偏光部材３００が有する色相と混合されると全体的に明度が低くなる色相を有する。つまり、偏光部材３００が有する色相と封止充填層２５０が有する色相は互いに混合されると各々の色相より明度が低くなる。
【００８１】
より望ましくは、封止充填層２５０は偏光部材３００が有する色相と減算混合で互いに補色関係の色相を有する。つまり、偏光部材３００が有する色相と封止充填層２５０が有する色相は減算混合で互いに補色関係であるのがより望ましい。
【００８２】
このような構成によって、有機発光表示装置９０２は外光反射を抑制して向上した視認性を有することができる。
【００８３】
具体的に、有機発光素子７０の電極７１０、７３０またはその他に複数の金属配線に反射された外部の光は一次的に偏光部材３００によって反射が抑制され、２次的に封止充填層２５０と偏光部材３００が有する色相によって反射が抑制される。つまり、封止充填層２５０と偏光部材３００を通過する光はこれらが有する色相の差によって明度が低くなるため、偏光部材３００と共に封止充填層２５０は外光反射を抑制する役割を果たす。特に、封止充填層２５０と偏光部材３００が各々減算混合で補色関係の色相を有する場合に、これらの混合色相は黒い色に近いため光が通過できず、より効果的に外光反射を抑制することができる。
【００８４】
例えば、偏光部材３００が青色（ｂｌｕｅ）系の色相を有して、封止充填層２５０が黄色（ｙｅｌｌｏｗ）系の色相を有することができる。この時、封止充填層２５０が黄色カラーフィルターのような機能をして、黄色の光が大部分封止充填層２５０を通過する。そしてこの黄色の光は青色系の色相を有する偏光部材３００を通過しながら明度が非常に減少するため、外部の光が有機発光素子７０の電極７１０、７３０またはその他に複数の金属配線に反射されることを抑制できる。しかし、本発明がこれに限定されるのではない。従って、偏光部材３００及び封止充填層２５０は各々互いに減算混合される多様な色相を有することができる。
【００８５】
以下、図４を参照して本発明の第３実施形態について説明する。
【００８６】
図４に示したように、有機発光表示装置９０３は封止部材２００または偏光部材３００上に位置されたカバーウィンドウ４００をさらに含む。図４では、偏光部材３００が封止部材２００上に位置され、カバーウィンドウ４００が偏光部材３００上に位置される。しかし、本発明がこれのみに限定されるのではない。従って、封止部材２００が偏光部材３００上に位置され、カバーウィンドウ４００が封止部材２００上に位置できる。
【００８７】
カバーウィンドウ４００はガラスまたはプラスチックなどのような透明な素材で形成されて色相を有する。一方、本発明の第３実施形態による有機発光表示装置９０３において封止部材２００は色相を有しない。
【００８８】
また、偏光部材３００とカバーウィンドウ４００は互いに異なる色相を有する。特に、カバーウィンドウ４００は偏光部材３００が有する色相と混合されると全体的に明度が低くなる色相を有する。つまり、偏光部材３００が有する色相とカバーウィンドウ４００が有する色相は互いに混合されると各々の色相より明度が低くなる。
【００８９】
より望ましくは、カバーウィンドウ４００は偏光部材３００が有する色相と減算混合で互いに補色関係の色相を有する。つまり、偏光部材３００が有する色相とカバーウィンドウ４００が有する色相は減算混合で互いに補色関係であるのがより望ましい。
【００９０】
このような構成によって、有機発光表示装置９０３は外光反射を抑制して向上した視認性を有することができる。
【００９１】
具体的に、有機発光素子７０の電極７１０、７３０またはその他の複数の金属配線に反射された外部の光は一次的に偏光部材３００によって反射が抑制され、２次的にカバーウィンドウ４００と偏光部材３００が有する色相によって反射が抑制される。つまり、カバーウィンドウ４００と偏光部材３００を通過する光はこれらが有する色相の差によって、明度が低くなるため、偏光部材３００と共にカバーウィンドウ４００は外光反射を抑制する役割を果たす。特に、カバーウィンドウ４００と偏光部材３００が各々減算混合で補色関係の色相を有する場合、これらの混合色相は黒い色に近いため光が通過できず、より効果的に外光反射を抑制することができる。
【００９２】
例えば、偏光部材３００が青色（ｂｌｕｅ）系の色相を有して、カバーウィンドウ４００が黄色（ｙｅｌｌｏｗ）系の色相を有することができる。この時、カバーウィンドウ４００が黄色カラーフィルターのような機能をして、黄色の光が大部分カバーウィンドウ４００を通過するようになる。そして、この黄色の光は青色系の色相を有する偏光部材３００を通過しながら明度が非常に減少するため、外部の光が有機発光素子７０の電極７１０、７３０またはその他の複数の金属配線に反射されることを抑制できる。しかし、本発明がこれに限定されるのではない。従って、偏光部材３００及びカバーウィンドウ４００は各々互いに減算混合される多様な色相を有することができる。
【００９３】
以下、図５を参照して本発明の第４実施形態について説明する。
【００９４】
図５に示したように、有機発光表示装置９０４は偏光部材３００上に位置されたカバーウィンドウ４００と、偏光部材３００とカバーウィンドウ４００との間を埋めるカバー充填層４５０をさらに含む。
【００９５】
カバーウィンドウ４００はガラスまたはプラスチックなどのような透明な素材で形成される。カバー充填層４５０はカバーウィンドウ４００を安定的に固定する役割を果たしながら、屈折率差による光の反射を減少させ、外部衝撃を緩和させる役割を果たす。
【００９６】
また、カバー充填層４５０は樹脂系の素材を含んで形成されて色相を有する。一方、本発明の第４実施形態による有機発光表示装置９０４において、封止部材２００は色相を有しない。
【００９７】
また、偏光部材３００とカバー充填層４５０は互いに異なる色相を有する。特に、カバー充填層４５０は偏光部材３００が有する色相と混合されると全体的に明度が低くなる色相を有する。つまり、偏光部材３００が有する色相とカバー充填層４５０が有する色相は互いに混合されると各々の色相より明度が低くなる。
【００９８】
より望ましくは、カバー充填層４５０は偏光部材３００が有する色相と減算混合で互いに補色関係の色相を有する。つまり、偏光部材３００が有する色相とカバー充填層４５０が有する色相は減算混合で互いに補色関係であるのがより望ましい。
【００９９】
このような構成によって、有機発光表示装置９０４は外光反射を抑制して向上した視認性を有することができる。
【０１００】
具体的に、有機発光素子７０の電極７１０、７３０またはその他の複数の金属配線に反射された外部の光は一次的に偏光部材３００によって反射が抑制され、２次的にカバー充填層４５０と偏光部材３００が有する色相によって反射が抑制される。つまり、カバー充填層４５０と偏光部材３００を通過する光はこれらが有する色相の差によって明度が低くなるため、偏光部材３００と共にカバー充填層４５０は外光反射を抑制する役割を果たす。特に、カバー充填層４５０と偏光部材３００が各々減算混合で補色関係の色相を有する場合、これらの混合色相は黒い色に近いため光が通過できず、より効果的に外光反射を抑制することができる。
【０１０１】
例えば、偏光部材３００が青色（ｂｌｕｅ）系の色相を有して、カバー充填層４５０は黄色（ｙｅｌｌｏｗ）系の色相を有することができる。この時、カバー充填層４５０が黄色カラーフィルターのような機能をして、黄色の光が大部分カバー充填層４５０を通過するようになる。そしてこの黄色の光は青色系の色相を有する偏光部材３００を通過しながら明度が非常に減少するため、外部の光が有機発光素子７０の電極７１０、７３０またはその他の複数の金属配線に反射されるのを抑制することができる。しかし、本発明がこれに限定されるのではない。従って、偏光部材３００及びカバー充填層４５０は各々互いに減算混合される多様な色相を有することができる。
【０１０２】
以下、図６を参照して本発明の第５実施形態について説明する。
【０１０３】
図６に示したように、有機発光表示装置９０５は色相を有する画素定義膜１９５を含む。この時、画素定義膜１９５と偏光部材３００は互いに異なる色相を有する。特に、画素定義膜１９５は偏光部材３００が有する色相と混合されると全体的に明度が低くなる色相を有する。つまり、偏光部材３００が有する色相と画素定義膜１９５が有する色相は互いに混合されると各々の色相より明度が低くなる。
【０１０４】
より望ましくは、画素定義膜１９５は偏光部材３００が有する色相と減算混合で互いに補色関係の色相を有する。つまり、偏光部材３００が有する色相と画素定義膜１９５が有する色相は減算混合で互いに補色関係であるのがさらに望ましい。
【０１０５】
一方、本発明の第５実施形態において封止部材２００は色相を有しない。図６において封止部材２００は色相を有しない。
【０１０６】
また、本発明の第５実施形態による有機発光表示装置９０５は、ゲート電極１５５、ソース電極１７６、ドレイン電極１７７、画素電極７１０の中一つ以上の電極と同じ層に同じ素材で形成された導電膜をさらに有する。そして導電膜の少なくとも一部は画素定義膜１９５の下に配置される。
【０１０７】
また、本発明の第５実施形態において画素定義膜１９５はアクリル系の樹脂を含んで形成される。
【０１０８】
このような構成によって、有機発光表示装置９０５は外光反射を抑制して向上した視認性を有することができる。
【０１０９】
具体的に、有機発光素子７０の電極７１０、７３０またはその他の複数の金属配線に反射された外部の光は一次的に偏光部材３００によって反射が抑制され、２次的に画素定義膜１９５と偏光部材３００が有する色相によって反射が抑制される。つまり、偏光部材３００と画素定義膜１９５を通過する光はこれらが有する色相の差によって明度が低くなるため、偏光部材３００と共に画素定義膜１９５は外光反射を抑制する役割を果たす。特に、画素定義膜１９５と偏光部材３００が各々減算混合で補色関係の色相を有する場合、これらの混合色相は黒い色に近いため光が通過できず、より効果的に外光反射を抑制することができる。
【０１１０】
例えば、偏光部材３００が青色（ｂｌｕｅ）系の色相を有して、画素定義膜１９５が黄色（ｙｅｌｌｏｗ）系または赤色（ｒｅｄ）系の色相を有することができる。画素定義膜１９５をアクリル系の樹脂を含んで形成される場合、容易に画素定義膜１９５が赤色系の色相を有することができる。
【０１１１】
偏光部材３００は青色カラーフィルターのような機能をして、青色の光が大部分偏光部材３００を通過するようになる。そしてこの青色の光は赤色または黄色系の色相を有する画素定義膜１９５を通過しながら明度が非常に減少するため、外部の光が有機発光素子７０の電極７１０、７３０またはその他の複数の金属配線に反射されることを抑制できる。しかし、本発明がこれに限定されるのではない。従って、偏光部材３００及び画素定義膜１９５は各々互いに減算混合される多様な色相を有することができる。
【０１１２】
まず、多様な実施形態のように、有色の偏光部材３００と偏光部材３００と互いに異なる色相を有する有色物の組み合わせを通して外光反射を抑制することができる。偏光部材３００と有色物は各々互いに減算混合で補色関係の色相を有するのが最も望ましい。また、有色物は前述のように、封止部材２００、封止充填層２５０、カバーウィンドウ４００、カバー充填層４５０、及び画素定義膜１９５の中のいずれか一つ以上でありうる。
【０１１３】
上述した各実施形態では、偏光部材としては、青色を有するものの使用頻度が高いため、青色のものについて説明してきたが、他の色を有していてもよい。また、上述した各実施形態では、画素定義膜としては、上記偏光部材の青色の補色である黄色を有するものについて説明してきたが、偏光部材と同様に、他の色を有していてもよい。更に、画素定義膜としては、アクリルで形成された場合に、赤色を有するので、赤色を有するものについても説明してきたが、他の色を有していてもよい。また、封止部材、封止充填層、及びカバーウィンドウについても、黄色に限らず、他の色を有していてもよい。
【０１１４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１５】
９０１，９０２，９０３，９０４，９０５    有機発光表示装置
１０    スイッチング薄膜トランジスター
２０    駆動薄膜トランジスター
７０    有機発光素子（ＯＬＥＤ）
８０    蓄電素子
１１０    基板部材
１２０    バッファー層
１３１    スイッチング半導体層
１３２    駆動半導体層
１３５    チャンネル領域
１３７    ドレイン領域
１４０    ゲート絶縁膜
１５１    ゲートライン
１５２    スイッチングゲート電極
１５５    駆動ゲート電極
１５８、１７８    維持電極
１７１    データライン
１７２    共通電源ライン
１７３    スイッチングソース電極
１７４    スイッチングドレイン電極
１７６    駆動ソース電極
１７７    ドレイン電極
１８０    平坦化膜
１８２    接触孔
１９０    画素定義膜
２００    封止部材
２５０    封止充填層
３００    偏光部材
４００    カバーウィンドウ
７１０    画素電極
７２０    有機発光層
７３０    共通電極
【図１】
2010040524.tif 000003
【図２】
2010040524.tif 000004
【図３】
2010040524.tif 000005
【図４】
2010040524.tif 000006
【図５】
2010040524.tif 000007
【図６】
2010040524.tif 000008